(57)【要約】【課題】照明機能を備えていて夜間の地震等の災害発生時に有用な眼鏡立てを提供する。【解決手段】つるを畳んだ眼鏡を収容する筒状本体１ａと、この筒状本体１ａの下部に位置する台部１ｂ、とを備えている眼鏡立て１において、台部１ｂに光源用の発光体７と電源用の電池５を収納して点灯回路を構成すると共に、この点灯回路をオンオフ制御するスイッチ６及び／またはスイッチ８を設けて照明具としても使用できるようにした。従って、この考案のランプ付き眼鏡立ては非常時の簡易照明具としても利用できて、夜間の災害に備えて懐中電灯を別途用意しておく必要がなく、防災用機器として大いに有用である。【選択図】　　　　　　図３
0003097263.tif 000002
【実用新案登録請求の範囲】
【請求項１】
つるを畳んだ眼鏡を収容する筒状本体と、この筒状本体の下部に位置する台部、とを備えており、台部に光源用の発光体と電源用の電池を収納して点灯回路を構成すると共に、この点灯回路をオンオフ制御するスイッチを設けて照明具としても使用できるように構成されたことを特徴とするランプ付き眼鏡立て。
【請求項２】
上記スイッチとして、正常な設置状態でオフ、それ以外でオンとなる自動スイッチが設けられている請求項１記載のランプ付き眼鏡立て。
【請求項３】
上記スイッチとして、人が操作する手動スイッチが設けられている請求項１記載のランプ付き眼鏡立て。
【請求項４】
人が操作する手動スイッチが設けられている請求項２記載のランプ付き眼鏡立て。
【請求項５】
上記自動スイッチが、台部の底面から下向きに突出可能なアクチュエータを備えており、アクチュエータが底面から突出した状態でオンとなるように構成されている請求項２または４のいずれかに記載のランプ付き眼鏡立て。
【請求項６】
発光体が発光ダイオードである請求項１乃至５のいずれかに記載のランプ付き眼鏡立て。
【請求項７】
電源用の電池として、単４型または単３型の電池が使用されている請求項１乃至６のいずれかに記載のランプ付き眼鏡立て。
【請求項８】
筒状本体がプラスチック成形品で構成され、内面が発泡ウレタンシートなどの柔軟な保護シートで覆われている請求項１乃至７のいずれかに記載のランプ付き眼鏡立て。
【考案の詳細な説明】
【０００１】
【考案の属する技術分野】
この考案は、照明具としての機能も備えた眼鏡立てに関するものである。
【０００２】
【従来の技術】
眼鏡立ては、つるを畳んだ眼鏡を入れて立てて置いておくものであって、一般に眼鏡を収容する筒状本体と、この筒状本体の下部に位置する台部とで構成されており、就寝時には枕元に置かれるのが普通である。就寝中に大地震や火災が発生した際には、いち早く眼鏡を着用して次の行動を起こす必要があるが、停電などの場合に備えて、懐中電灯も枕元に置いておく必要がある。なお、平成７年の兵庫県南部地震はまだ夜が明けない時刻に発生しており、まず眼鏡や照明具を探した被災者が多かったという調査結果がある。
【０００３】
【考案が解決しようとする課題】
この考案はこの点に着目し、照明機能を備えていて夜間の地震等の災害発生時に有用な眼鏡立てを提供することを課題としてなされたものである。
【０００４】
【課題を解決するための手段】
上記の課題を達成するために、この考案のランプ付き眼鏡立ては、つるを畳んだ眼鏡を収容する筒状本体と、この筒状本体の下部に位置する台部、とを備えており、台部に光源用の発光体と電源用の電池を収納して点灯回路を構成すると共に、この点灯回路をオンオフ制御するスイッチを設けて照明具としても使用できるように構成されている。このような構成により、夜間の災害に備えて懐中電灯を別途用意しておく必要がなくなり、この考案のランプ付き眼鏡立てを照明具としても利用することによって、速やかに眼鏡を探し、次の行動に移ることが容易となる。
【０００５】
上記のスイッチとして、正常な設置状態でオフ、それ以外でオンとなる自動スイッチと、人が操作する手動スイッチのいずれか、あるいは両方が設けられる。このような構成により、自動スイッチを設けたものでは、眼鏡立てが倒れたり、持ち上げられたりすると自動的に点灯するので便利であり、手動スイッチを設けたものでは、必要に応じて点灯させることができる。また、自動スイッチと手動スイッチを設けたものでは、両方の機能を発揮させることができる。
【０００６】
上記の自動スイッチは、例えば、台部の底面から下向きに突出可能なアクチュエータを設け、このアクチュエータが底面から突出した状態でオンとなるように構成される。
【０００７】
上記の発光体としては発光ダイオードが使用される。発光ダイオードは小型で消費電力は小さく、しかも非常用として十分な明るさが得られるので、このランプ付き眼鏡立ての光源として適している。
【０００８】
また、電源用の電池としては、単４型または単３型の電池が使用される。この種の棒状電池は、ボタン型電池と比較してかなりの重量があるので重りとしての機能が発揮され、ランプ付き眼鏡立ての重心が低くなって安定性が向上する。
【０００９】
また、筒状本体はプラスチック成形品で構成され、内面は発泡ウレタンシートなどの柔軟な保護シートで覆われている。これにより、必要な強度が得られると共に、収納時に眼鏡のレンズに傷が付くようなことが防止される。
【００１０】
【考案の実施の形態】
以下、図示の実施の形態の一例について説明する。図１はこの考案に係るランプ付き眼鏡立ての全体の斜視図、図２は裏蓋を外した状態で下部から見た全体の斜視図、図３は組み込まれる他の部材も示した裏蓋の斜視図、図４は下部から見た裏蓋の斜視図である。
【００１１】
図において、１はこの考案の眼鏡立てであって、断面が長円形である筒状本体１ａと、この筒状本体１ａの下部に一体に形成されている台部１ｂから構成されている。筒状本体１ａの上面は開口し、底面は台部１ｂで塞がれており、台部１ｂの下面は開口し、ここに裏蓋２が装着されるようになっている。筒状本体１ａと台部１ｂ、及び裏蓋２は、それぞれ例えばＡＢＳ樹脂などの硬質プラスチックの成形品であり、筒状本体１ａの内面と台部１ｂの上面は発泡ウレタンシートなどの柔軟な保護シートで覆われている。
【００１２】
裏蓋２はその外周部分に皿穴状のビス穴２ａが例えば３個設けられ、これに対応して台部１ｂの下面にはビス受け２ｂが設けられており、図示しない皿ビスによって裏蓋２は台部１ｂに装着されるようになっている。裏蓋２の上面には電池受け３ａとこれに対応して設けられた電極３ｂとを備えた電池ケース３が形成され、電池受け３ａに対応して、台部１ｂの下面には電池押さえ３ｃが形成されている。４は電池ケース３に設けられた端子金具であり、電極３ｂの具体的な形状は図示してないが、電池ケース３に収納される乾電池５の電圧が端子金具４，４間に出力されるようになっている。乾電池５としては単４型が使用されるが、眼鏡立て１のサイズによっては単３型の電池を使用してもよい。
【００１３】
６は電池ケース３の外周に設置されたスライド式の小型な手動スイッチであって、スライド操作部６ａを裏蓋２に形成されたスリット２ｃに位置させ、裏蓋２の裏面から操作できるようになっている。７は発光ダイオードであり、裏蓋２に形成された筒状の保持部７ｂに挿入して保持される。この保持部７ｂは、裏蓋２の下面側まで穴を貫通させて皿穴状の拡径部７ｃを形成してあり、発光ダイオード７の先端のレンズ部７ａが拡径部７ｃに位置して裏蓋２の下面から突出しない状態で露出している。この発光ダイオード７としては、例えば超高輝度白色発光ダイオードが使用される。
【００１４】
８は下向きに突出する方向に付勢されたアクチュエータ８ａを備えた小型な自動スイッチであって、アクチュエータ８ａを裏蓋２の底面から下向きに突出できる状態で裏蓋２のスイッチ取付部８ｂに装着されている。この自動スイッチ８としては、アクチュエータ８ａが裏蓋２から突出した状態でオンとなるような適宜の構造のものが使用されている。
【００１５】
発光ダイオード７、手動スイッチ６及び自動スイッチ８は、図示しない配線により端子金具４，４間に接続されて点灯回路を構成している。この点灯回路は、例えば手動スイッチ６に３位置タイプのものを使用し、第１位置を選択すると自動スイッチ８を経由した回路が構成され、第２及び第３位置では自動スイッチ８に関係がなくなって、第２位置でオフ、第３位置でオンとなるような回路になっている。
【００１６】
この例の眼鏡立て１は上述のような構成であり、乾電池５を電池ケース３にセットして裏蓋２を台部１ｂに装着した状態において、通常は手動スイッチ６のスライド操作部６ａを第１位置に設定して使用される。従って、台部１ｂを下にして立てた状態では、アクチュエータ８ａが押し込まれて自動スイッチ８がオフとなるので発光ダイオード７は消灯しているが、眼鏡立て１が倒れたり持ち上げられたりしてアクチュエータ８ａが裏蓋２から突出すると、自動スイッチ８がオンとなって発光ダイオード７が点灯する。
【００１７】
このため、就寝時に眼鏡立て１を枕元に立てて置くと、正常時には発光ダイオード７は点灯しないが、地震等で眼鏡立て１が倒れると発光ダイオード７が自動的に、且つ簡易照明用として十分な明るさで点灯するので、筒状本体１ａに入れてあった眼鏡を探すことができ、更に避難その他の必要な行動に移ることができる。また、必要に応じて眼鏡立て１を持ち上げても発光ダイオード７が自動的に点灯するので、夜間の簡易照明用としてそのまま利用できるのである。なお、単４型や単３型の乾電池はボタン型電池と比較してかなりの重量があるので重りとしての機能が発揮され、眼鏡立て１の重心が低くなって安定性が向上する。
【００１８】
また、最初から簡易照明用として手動で使用する時には、スライド操作部６ａを第２位置に設定しておく。すなわち、この状態でスライド操作部６ａを第３位置にスライドさせると発光ダイオード７が点灯し、第２位置に戻すと消灯するので、通常の懐中電灯と同じ要領で使用することができる。なお、昼間や自動点灯が必要ない時には第２位置に設定しておくことが望ましく、これにより眼鏡立て１が倒れても点灯しないので、乾電池５の無用な消耗を防ぐことができる。
【００１９】
なお、点灯回路の構成、及び手動スイッチ６と自動スイッチ８によるオンオフ制御の仕様は上述の例に限定されるものではなく、別の態様で行うようにすることもできる。また手動スイッチ６を単なるオンオフ式のものとし、これを自動スイッチ８と直列に接続して自動スイッチ８による点灯状態を手動でオンオフできるようにしたり、自動スイッチ８のみを設けて夜間の非常時専用とするなどの変形も可能であり、場合によっては手動スイッチ６のみを設けたものとすることもできる。またこの考案の眼鏡立ては、携帯電話入れやペン立てとしても利用することができる。
【００２０】
【考案の効果】
以上の説明から明らかなように、この考案のランプ付き眼鏡立ては、つるを畳んだ眼鏡を収容する筒状本体と、この筒状本体の下部に位置する台部、とを備えており、台部に光源用の発光体と電源用の電池を収納して点灯回路を構成すると共に、この点灯回路をオンオフ制御するスイッチを設けて照明具としても使用できるようにしたものである。従って、この考案のランプ付き眼鏡立ては非常時の簡易照明具としても利用できて、夜間の災害に備えて懐中電灯を別途用意しておく必要がないのであり、防災用機器として大いに有用な眼鏡立てが得られる。
【００２１】
また、オンオフ制御用のスイッチとして、正常な設置状態でオフ、それ以外でオンとなる自動スイッチと、人が操作する手動スイッチのいずれか、あるいは両方が設けられている。従って、自動スイッチを設けたものでは、眼鏡立てが倒れたり、持ち上げられたりすると自動的に点灯するように構成でき、手動スイッチを設けたものでは、必要に応じて点灯させることができる。また、自動スイッチと手動スイッチを設けたものでは、両方の機能を発揮させることができる。
【００２２】
また、自動スイッチとしては、台部の底面から下向きに突出可能なアクチュエータを備え、このアクチュエータが眼鏡立ての底面から突出した状態でオンとなるように構成される。これにより、眼鏡立てが倒れたり、持ち上げられたりした場合の自動点灯機能を容易に実現できる。
【００２３】
上記の発光体として発光ダイオードを使用したものでは、小型化と省電力化が容易であり、しかも非常用として十分な明るさを得ることができる。
【００２４】
また、電源用の電池としては、単４型または単３型の電池が使用される。この種の棒状電池は、ボタン型電池と比較してかなりの重量があるので重りとしての機能が発揮され、眼鏡立ての重心が低くなって安定性が向上する。
【００２５】
また、筒状本体をプラスチック成形品で構成し、内面を発泡ウレタンシートなどの柔軟な保護シートで覆ったものでは、必要な強度が得られると共に、収納時に眼鏡のレンズに傷が付くようなことが防止される。
【図面の簡単な説明】
【図１】この考案に係るランプ付き眼鏡立ての全体の斜視図である。
【図２】同上の裏蓋を外した状態で下部から見た全体の斜視図である。
【図３】同上において組み込まれる他の部材も示した裏蓋の斜視図である。
【図４】同上の裏蓋を下部から見た斜視図である。
【符号の説明】
１　眼鏡立て
１ａ　筒状本体
１ｂ　台部
２　裏蓋
３　電池ケース
４　端子金具
５　乾電池
６　手動スイッチ
６ａ　スライド操作部
７　発光ダイオード
７ａ　レンズ部
８　自動スイッチ
８ａ　アクチュエータ
【図１】
0003097263.tif 000003
【図２】
0003097263.tif 000004
【図３】
0003097263.tif 000005
【図４】
0003097263.tif 000006